(57)【要約】【課題】ＨＤＤ等の記録ディスク・ドライブに含まれるブリーザー・フィルタの取り付けを迅速、正確に行い、記録ディスク・ドライブの歩留まり及び生産性の向上を達成すること。【解決手段】本発明の一例に係るＨＤＤ１００の製造方法は、ブリーザー・フィルタ１０４を有するＨＤＤ１００の製造方法であって、ＨＤＤ１００のベース１０２に形成された呼吸穴１０２ｂにブリーザー・フィルタ１０４を被せ、呼吸穴１０２ｂに被せられたブリーザー・フィルタ１０４の被押圧面１０４ｃを、その被押圧面１０４ｃに従って傾動する押圧面２０４ｃによって押圧し、ブリーザー・フィルタ１０４をベース１０２に接着する。【選択図】図５
2007234096.tif 000002
【特許請求の範囲】
【請求項１】
呼吸フィルタを有する記録ディスク・ドライブの製造方法であって、
前記記録ディスク・ドライブの筐体に形成された貫通穴に前記呼吸フィルタを被せ、
前記貫通穴に被せられた前記呼吸フィルタの被押圧面を、その被押圧面に従って傾動する押圧面によって押圧し、前記呼吸フィルタを前記筐体に接着する、
記録ディスク・ドライブの製造方法。
【請求項２】
前記押圧面を有し傾動可能な押圧部を一定方向に押圧して前記呼吸フィルタを押圧する、請求項１に記載の方法。
【請求項３】
前記押圧面とその押圧面の内側の凹部とを備える押圧部によって前記呼吸フィルタを押圧し、
前記呼吸フィルタの押圧において、前記凹部と前記貫通穴とが重なるように位置合わせする、
請求項１に記載の方法。
【請求項４】
前記押圧面は、３６０°の方向において傾動可能な状態で前記被押圧面に押圧される、請求項１に記載の方法。
【請求項５】
記録ディスク・ドライブの筐体に呼吸フィルタを押し付けて接着する装置であって、
前記呼吸フィルタの被押圧面に当接して押圧する押圧部と、
前記押圧部を支持する基部と、を備え、
前記押圧部は前記基部に傾動可能に連結され、前記被押圧面に従って前記基部に対して傾動し、前記被押圧面を押圧する、装置。
【請求項６】
前記押圧部は、３６０°の方向において傾動可能である、請求項５に記載の装置。
【請求項７】
前記押圧部と前記基部とが凸状曲面において当接し、その球面上の当接位置が変わることによって前記押圧部は前記基部に対して傾動する、請求項５に記載の装置。
【請求項８】
前記被押圧面は平坦面であり、
前記押圧部は、前記被押圧面を押圧する平坦面である押圧面を備え、
前記押圧部は、前記押圧面が前記被押圧面と平行となるように前記基部に対して傾動して前記呼吸フィルタを押圧する、請求項５に記載の装置。
【請求項９】
前記押圧部は、
前記被押圧面を押圧する押圧面と、
前記押圧面の内側の凹部と、を備える、請求項５に記載の装置。
【請求項１０】
記録ディスク・ドライブの筐体に呼吸フィルタを押し付けて接着する押圧治具と、
前記筐体を固定する固定台と、
前記押圧治具の押圧力を生成するアクチュエータと、を備え、
前記押圧治具は、
前記呼吸フィルタの被押圧面に当接して押圧する押圧部と、
前記押圧部を支持する基部と、を備え、
前記押圧部は前記基部に傾動可能に連結され、前記被押圧面に従って前記基部に対して傾動し、前記被押圧面を押圧する、記録ディスク・ドライブの製造装置。
【発明の詳細な説明】
【技術分野】
【０００１】
記録ディスク・ドライブの製造方法及び製造装置ならびに呼吸フィルタ押し付け装置に関し、特にブリーザー・フィルタを取り付ける工程に関する。
【背景技術】
【０００２】
データ記憶装置として、光ディスクや磁気テープなどの様々な態様のメディアを使用する装置が知られている。その中で、ハードディスク・ドライブ（ＨＤＤ）は、コンピュータの記憶装置として広く普及し、現在のコンピュータ・システムにおいて欠かすことができない記憶装置の一つとなっている。さらに、コンピュータ・システムにとどまらず、動画像記録再生装置、カーナビゲーション・システム、携帯電話、あるいはデジタル・カメラなどで使用されるリムーバブルメモリなど、ＨＤＤの用途はその優れた特性により益々拡大している。
【０００３】
ＨＤＤは、筐体内にデータを記憶する磁気ディスクと、磁気ディスクへアクセスするヘッド・スライダとを備えている。ヘッド・スライダは、磁気ディスクとの間のデータ読み出し及び／もしくは書き込みを行うヘッド素子部と、ヘッド素子部がその上に形成されたスライダとを有している。ＨＤＤは、さらに、ヘッド・スライダを磁気ディスク上の所望の位置に移動するアクチュエータを備えている。アクチュエータはボイス・コイル・モータ（ＶＣＭ）によって駆動され、回動軸を中心として回動することによって、回転する磁気ディスク上でヘッド・スライダを半径方向に移動する。これによって、ヘッド素子部が磁気ディスクに形成された所望のトラックにアクセスし、データの読み出し／書き込み処理を行うことができる。
【０００４】
ＨＤＤの筐体内部と外部の気圧差を一定に保つため、筐体には呼吸穴が形成されている。また、外部から内部への塵埃進入を防止するため、呼吸穴はブリーザー・フィルタ（呼吸フィルタ）を有する。ブリーザー・フィルタは、上記の機能に加え、外部からの急激な水分の進入を防止するために、シリカゲル等の吸水機構を伴ったものや、有害な化学成分を含んだガスの進入を防止するケミカル吸着フィルタを伴ったものもある。ＨＤＤの筐体内部の気圧はヘッド・スライダのディスク面からの浮上量に影響するため、ヘッド・スライダの低浮上化が進む中でブリーザー・フィルタの果たす役割は重要なものとなっている。
【０００５】
ブリーザー・フィルタは、接着によってＨＤＤのベースに取り付けられる。具体的には、接着面に接着剤が塗布されたブリーザー・フィルタを、ベースに設けられた呼吸穴に被せ、上から押圧することによってベースに取り付ける。被押圧面に対して均等な押圧力を加えるための装置は、例えば特許文献１に開示されている。特許文献１には、加圧対象物の厚さの不均一に対する補正性能を持たせたプレス機が開示されている。このプレス機は主に半導体基板のパターン転写をその目的としており、本発明とはその趣旨を異にする。
【特許文献１】特開２００５−５２８４１号公報
【発明の開示】
【発明が解決しようとする課題】
【０００６】
ブリーザー・フィルタをベースに取り付ける工程においては、なるべく強い力でフィルタをベースに押し付ける必要があり、その力は例えば５０ｋｇ程度である。また、フィルタを確実にベースに接着するためには、フィルタとベースとの接着範囲全体をフィルタ上から略均一に押圧する必要がある。従来のブリーザー・フィルタの取り付け工程において、貫通穴に被せたフィルタを押圧する工程は、作業者の手作業によるものであり、その押し圧や押し付け角度は作業者の任意によるものである。従って、一定の強度、角度でフィルタを押圧することが難しく、品質が安定しない。また、前述した通りの強い力で押圧することを考えると、人の手によって接着範囲の全体を略均一に押圧することは困難である。
【０００７】
このように、ＨＤＤの製造工程において、作業者スキルに依存する工程が存在すると、品質の安定を妨げる要因の一つとなる。他方、フィルタをベースに押圧する際、フィルタとベースとの接着面をフィルタ上から略均一に押圧するためには、ベースの傾きに対応する必要がある。従って、この工程は単純に機械化するのみでは品質の安定化を図ることができない。
【０００８】
本発明はこのような事情を背景としてなされたものであって、その目的の一つは、ＨＤＤ等の記録ディスク・ドライブに含まれるブリーザー・フィルタの取り付けを迅速、正確に行い、記録ディスク・ドライブの歩留まり及び生産性の向上を達成することである。
【課題を解決するための手段】
【０００９】
本発明の一例に係る記録ディスク・ドライブの製造方法は、呼吸フィルタを有する記録ディスク・ドライブの製造方法であって、前記記録ディスク・ドライブの筐体に形成された貫通穴に前記呼吸フィルタを被せ、前記貫通穴に被せられた前記呼吸フィルタの被押圧面を、その被押圧面に従って傾動する押圧面によって押圧し、前記呼吸フィルタを前記筐体に接着する。これにより、ＨＤＤ等の記録ディスク・ドライブに含まれるブリーザー・フィルタの取り付けを迅速、正確に行い、記録ディスク・ドライブの歩留まり及び生産性の向上を達成することができる。
【００１０】
ここで、前記押圧面を有し傾動可能な押圧部を一定方向に押圧して前記呼吸フィルタを押圧することが好ましい。これにより、当該工程の機械化が用意となる。
【００１１】
また、前記押圧面とその押圧面の内側の凹部とを備える押圧部によって前記呼吸フィルタを押圧し、前記呼吸フィルタの押圧において、前記凹部と前記貫通穴とが重なるように位置合わせすることが好ましい。これにより、呼吸フィルタの目詰まり等を回避することができる。
【００１２】
更に、前記押圧面は、３６０°の方向において傾動可能な状態で前記被押圧面に押圧されることが好ましい。これにより、押圧面の被押圧面への追従をスムーズにすることができる。
【００１３】
本発明の一例に係る呼吸フィルタの押し付け装置は、記録ディスク・ドライブの筐体に呼吸フィルタを押し付けて接着する装置であって、前記呼吸フィルタの被押圧面に当接して押圧する押圧部と、前記押圧部を支持する基部と、を備え、前記押圧部は前記基部に傾動可能に連結され、前記被押圧面に従って前記基部に対して傾動し、前記被押圧面を押圧するものである。これにより、ＨＤＤ等の記録ディスク・ドライブに含まれるブリーザー・フィルタの取り付けを迅速、正確に行い、記録ディスク・ドライブの歩留まり及び生産性の向上を達成することができる。
【００１４】
ここで、前記押圧部は、３６０°の方向において傾動可能であることが好ましい。これにより、押圧面の被押圧面への追従をスムーズにすることができる。
【００１５】
また、前記押圧部と前記基部とが凸状曲面において当接し、その球面上の当接位置が変わることによって前記押圧部は前記基部に対して傾動することが好ましい。これにより、３６０°方向への傾動を容易に行うことができる。
【００１６】
更に、前記被押圧面は平坦面であり、前記押圧部は、前記被押圧面を押圧する平坦面である押圧面を備え、前記押圧部は、前記押圧面が前記被押圧面と平行となるように前記基部に対して傾動して前記呼吸フィルタを押圧することが好ましい。これにより、より好適に被押圧面を一様に押圧することができる。
【００１７】
更にまた、前記押圧部は、前記被押圧面を押圧する押圧面と、前記押圧面の内側の凹部と、を備えることが好ましい。これにより、呼吸フィルタの目詰まり等を回避することができる。
【００１８】
本発明に一例に係る記録ディスク・ドライブの製造装置は、記録ディスク・ドライブの筐体に呼吸フィルタを押し付けて接着する押圧治具と、前記筐体を固定する固定台と、前記押圧治具の押圧力を生成するアクチュエータと、を備え、前記押圧治具は、前記呼吸フィルタの被押圧面に当接して押圧する押圧部と、前記押圧部を支持する基部と、を備え、前記押圧部は前記基部に傾動可能に連結され、前記被押圧面に従って前記基部に対して傾動し、前記被押圧面を押圧するものである。これにより、ＨＤＤ等の記録ディスク・ドライブに含まれるブリーザー・フィルタの取り付けを迅速、正確に行い、記録ディスク・ドライブの歩留まり及び生産性の向上を達成することができる。
【発明の効果】
【００１９】
本発明によれば、ＨＤＤ等の記録ディスク・ドライブに含まれるブリーザー・フィルタの取り付けを迅速、正確に行い、記録ディスク・ドライブの歩留まり及び生産性の向上を達成することができる。
【発明を実施するための最良の形態】
【００２０】
以下に、本発明を適用可能な実施の形態を説明する。なお、各図面において、同一要素には同一の符号が付されており、説明の明確化のため、必要に応じて重複説明は省略されている。本形態は、ハードディスク・ドライブ（ＨＤＤ）の製造工程において、ベースに設けられた貫通孔にフィルタを被せて接着し、ブリーザー・フィルタを取り付ける工程に関する。本系のブリーザー・フィルタ取り付け工程は、専用の治具によってフィルタをベースに押圧する。この専用の治具を用いることが本形態の特徴の一つである。
【００２１】
最初に、ＨＤＤの全体構成を説明する。図１は、本実施の形態に係るＨＤＤ１００の構成を模式的に示す平面図である。ＨＤＤ１００は、データを記録する記録ディスクとしての磁気ディスク１０１を備えている。磁気ディスク１０１は、磁性層が磁化されることによってデータを記録する不揮発性メモリである。ＨＤＤ１００の各構成要素は、ベース１０２内に収容されている。ベース１０２は、ベース１０２の上部開口を塞ぐカバー（不図示）とガスケット（不図示）を介して固定されることによってディスクエンクロージャ（筐体）を構成し、ＨＤＤ１００の各構成要素を収容することができる。
【００２２】
ベース１０２には、ブリーザー・フィルタ（呼吸フィルタ）１０４が設けられている。ブリーザー・フィルタ１０４は、ベース１０２に形成された貫通孔にフィルタを被せ、このフィルタをベースに接着することによって取り付けられる。図１に示されるように、本実施形態においてブリーザー・フィルタ１０４は、磁気ディスク１０１と重なる位置に取り付けられている。ヘッド・スライダ１０５は、ホスト（不図示）との間で入出力されるデータについて、磁気ディスク１０１への書き込み及び／又は読み出しを行うヘッド素子部と、そのヘッド素子部がその面上に形成されているスライダとを備えている。ヘッド素子部は、磁気ディスク１０１への記憶データに応じて電気信号を磁界に変換する記録素子及び／又は磁気ディスク１０１からの磁界を電気信号に変換する再生素子とを有する
【００２３】
アクチュエータ１０６は、ヘッド・スライダ１０５を保持、移動する。アクチュエータ１０６は回動軸１０７に回動自在に保持されており、駆動機構としてのＶＣＭ（ボイス・コイル・モータ）１０９によって駆動される。アクチュエータ１０６は、ヘッド・スライダ１０５が配置された長手方向におけるその先端部から、サスペンション１１０、アーム１１１、コイル・サポート１１２及びフラットコイル１１３の順で結合された各構成部材を備えている。ＶＣＭ１０９は、フラットコイル１１３、上側ステータ・マグネット保持板１１４に固定されたステータ・マグネット（不図示）、及び下側ステータ・マグネット（不図示）から構成されている。
【００２４】
磁気ディスク１０１は、ベース１０２の底面に固定されたＳＰＭ１０３に一体的に保持され、ＳＰＭ１０３により所定の角速度で回転駆動される。磁気ディスク１０１からのデータの読み取り／書き込みのため、アクチュエータ１０６は回転している磁気ディスク１０１表面のデータ領域上空にヘッド・スライダ１０５を移動する。磁気ディスク１０１に対向するスライダのＡＢＳ（Air Bearing Surface）面と回転している磁気ディスク１０１との間の空気の粘性による圧力が、サスペンション１１０によって磁気ディスク１０１方向に加えられる圧力とバランスすることによって、ヘッド・スライダ１０５は磁気ディスク１０１上を一定のギャップを置いて浮上する。
【００２５】
磁気ディスク１０１の回転が停止する等のときには、アクチュエータ１０６はヘッド・スライダ１０５をデータ領域からランプ機構１１５に退避させる。尚、ヘッド・スライダ１０５がデータ書き込み／読み出し処理を行わない場合に、磁気ディスク１０１の内周に配置されているゾーンに退避するＣＳＳ（Contact Start and Stop）方式に、本発明を適用することも可能である。また、上記の説明では、簡単のために磁気ディスク１０１が一枚構成で、片面記憶のハードディスク・ドライブを説明しているが、ＨＤＤ１００は、１もしくは複数枚の両面記憶磁気ディスクを備えることができる。
【００２６】
図２（ａ）、図２（ｂ）を用いて、ブリーザー・フィルタ１０４について更に説明する。図２（ａ）は、図１における切断線ＡＡにおける断面図である。図２（ａ）に示すように、ベース１０２に凹部１０２ａが設けられており、凹部１０２ａの底にベース１０２を貫通する貫通穴が呼吸穴１０２ｂとして形成されている。この呼吸穴１０２ｂに被せられるように、凹部１０２ａの内部にブリーザー・フィルタ１０４が配置され、ベース１０２と接着されている。また、凹部１０２ａの上に重なるように、磁気ディスク１０１が配置されている。
【００２７】
図２（ｂ）は、ベース１０２上におけるブリーザー・フィルタ１０４及びその近傍を示す上面図である。図２（ｂ）に示すように、ブリーザー・フィルタ１０４は外形が四角形の部材であり、例えば不織布等からなる。ブリーザー・フィルタ１０４は、１５ｍｍ四方程度の寸法である。ブリーザー・フィルタ１０４は一方の面がベース１０２との接着面であり、反対側の面がベース１０２との接着の際に押圧される被押圧面１０４ｃである。図２（ｂ）に示すように、ブリーザー・フィルタ１０４は、その両面において外周端から幅２ｍｍ程度が密着領域１０４ａ及び被押圧用領域１０４ｂとして用いられる。
【００２８】
即ち、ベース１０２とブリーザー・フィルタ１０４との接着面における外周端から幅２ｍｍ程度が密着領域１０４ａとして用いられ、反対側の面の同様の領域が被押圧用領域１０４ｂとして用いられる。密着領域１０４ａと被押圧用領域１０４ｂとは互いに相似形状である。ブリーザー・フィルタ１０４の両面において、密着領域１０４ａ、被押圧用領域１０４ｂ以外の領域が呼吸領域１０４ｄであり、塵埃を遮断すると共に通気性を有する。ブリーザー・フィルタ１０４は、呼吸領域１０４ｄが呼吸穴１０２ｂ上に位置するように、ベース１０２上に配置される。密着領域１０４ａに接着剤が塗布される。被押圧用領域１０４ｂは、密着領域１０４ａをベース１０２に密着させるために押圧するための領域である。
【００２９】
ブリーザー・フィルタ１０４は、外部から内部への塵埃進入を防止する。ブリーザー・フィルタ１０４のベース１０２への接着が不完全である場合、ＨＤＤの筐体外部から内部への塵埃の進入を許してしまう。また、ＨＤＤ筐体内部の気圧が低くなってしまい、ヘッド・スライダ１０５の磁気ディスク１０１からの浮上高に影響を及ぼすこととなる。ブリーザー・フィルタ１０４は、上記の機能に加え、外部からの急激な水分の進入を防止するために、シリカゲル等の吸水機構や、有害な化学成分を含んだガスの進入を防止するケミカル吸着フィルタを伴っても良い。
【００３０】
次に、本実施形態に係るブリーザー・フィルタ１０４のベース１０２への取り付け工程について図３を用いて説明する。図３は、本実施形態に係るブリーザー・フィルタ１０４を、ベース１０２に取り付ける工程において用いる製造装置３００を模式的に示す図である。本実施形態に係る製造装置３００は、治具２００、アクチュエータ３０６、アーム３０７及び固定台３０５を有する。固定台３００上にベース１０２を載置して固定し、密着領域１０４ａに接着剤を塗布したブリーザー・フィルタ１０４を呼吸穴１０２ｂ上に被せて配置し、アクチュエータ３０６によって治具２００の押圧力を生成し、被押圧用領域１０４ｂを押圧して密着領域１０４ａをベース１０２に押し付けることにより、ブリーザー・フィルタ１０４がベース１０２に取り付けられる。
【００３１】
治具２００は、アーム３０７に支持されており、ブリーザー・フィルタ１０４の被押圧用領域１０４ｂを一様に押圧するため、ブリーザー・フィルタ１０４を押圧する面が首振り状に傾動する機構を有する。詳細は後述する。固定台３０５は、枠型３０１、３０２、３０３、３０４を有する。枠型３０１〜３０４は鍵型の部材であり、ブリーザー・フィルタ１０４を取り付けるベース１０２を固定可能なように配置されている。
【００３２】
図４（ａ）、図４（ｂ）を用いて、本実施形態に係る治具２００について説明する。図４（ａ）は、本実施形態に係る治具２００の側面図であり、図４（ｂ）は、図４（ａ）に示す切断線ＢＢにおける断面図である。図４（ａ）、図４（ｂ）に示すように、本実施形態に係る治具２００は、シャフト・ガイド２０１、シャフト２０２、コンプライアンス２０３及びヘッド・ブロック２０４を有する。シャフト・ガイド２０１は、内部に空洞２０１ａを有する筒状の部材である。シャフト・ガイド２０１内部の空洞２０１ａにシャフト２０２が挿入される。シャフト・ガイド２０１は、その長手方向が固定台３００のベース１０２載置面に対して略垂直な状態で、製造装置に支持される。シャフト・ガイド２０１は、アーム３０７によって枠型３０１〜３０４によって固定されたベース１０２上方に移動可能に支持される。
【００３３】
シャフト２０２は、治具２００の基部となる長手状の部材であり、球面部２０２ａを有する。シャフト２０２は、その一端側がシャフト・ガイド２０１の空洞２０１ａに挿入される。また、シャフト２０２はアクチュエータ３０６と連結されており、シャフト・ガイド２０１に対してシャフト２０２の長手方向の中心軸Ｏの方向に相対的に移動可能である。空洞２０１ａに挿入された側とは反対側のシャフト２０２の端部に、球面部２０２ａが形成される。球面部２０２ａは、シャフト２０２の軸Ｏ上に中心を持つ球の一部分として形成される。
【００３４】
コンプライアンス２０３は、球面部２０２ａが形成された側のシャフト２０２端部に連結される部材である。コンプライアンス２０３は、挿入穴２０３ａ及び摺動部２０３ｂを有する。コンプライアンス２０３は略直方体の箱状の部材であり、その一面に挿入穴２０３ａが形成される。コンプライアンス２０３内部において挿入穴２０３ａと対向する面に摺動部２０３ｂが形成される。挿入穴２０３ａから、コンプライアンス２０３の内部に球面部２０２ａを含むシャフト２０２の端部が挿入される。コンプライアンス２０３の内部において、球面部２０２ａと摺動部２０３ｂとが当接している。球面部２０２ａ上を摺動部２０３ｂが摺動することにより、コンプライアンス２０３がシャフト２０２に対して首振り状に運動する。即ち、コンプライアンス２０３は、シャフト２０２に対して傾動自在に支持される。
【００３５】
コンプライアンス２０３のシャフト２０２に対する運動について更に詳述すると、コンプライアンス２０３は、シャフト２０２の軸Oの周囲３６０°すべての方向に傾動可能である。換言すると、コンプライアンス２０３は、軸Oに垂直なすべての方向に傾動可能である。また、軸Oに対して傾動して傾いた状態で球面部２０２a上を摺動することも可能であり、軸Oに対して歳差運動することも可能である。
【００３６】
摺動部２０３ｂの断面は図４（ｂ）に示すようにＴ字形状となっており、コンプライアンス２０３の内部から外部へ貫通し、突出している。そして、この突出部分とヘッド・ブロック２０４とが連結され、コンプライアンス２０３とヘッド・ブロック２０４とが連結される。ヘッド・ブロック２０４は、ブリーザー・フィルタ１０４を押圧する際にブリーザー・フィルタ１０４に当接する部材である。ヘッド・ブロック２０４は、固定台３００に対向して配置される。
【００３７】
ヘッド・ブロック２０４の固定台３００に対向する面（以後、対向面２０４ａとする）は、ブリーザー・フィルタ１０４の被押圧用領域１０４ｂのみを押圧し、呼吸領域１０４ｄは押圧しないための形状を有する。具体的には、対向面２０４ａにはその中央部に凹部２０４ｂが形成されている。対向面２０４ａの凹部２０４ｂ以外の範囲が押圧面２０４ｃとなる。この、押圧面２０４ｃと被押圧用領域１０４ｂとは相似形状であり、略一致している。従って、ヘッド・ブロック２０４の外形と、ブリーザー・フィルタ１０４の外形とを位置合わせして治具２００を配置することにより、押圧面２０４ｃと被押圧用領域１０４ｂとが位置合わせされ、凹部２０４ｂと呼吸領域１０４ｄとが位置合わせされる。これにより、ブリーザー・フィルタ１０４の被押圧用領域１０４ｂのみを押圧することができ、ブリーザー・フィルタ１０４の通気性を有する領域を押圧することなく、ブリーザー・フィルタ１０４をベース１０２に押し付けることができる。これにより、呼吸領域１０４ｄへの異物の付着や、呼吸領域１０４ｄに対応するブリーザー・フィルタ１０４の変形等を回避し、ブリーザー・フィルタ１０４の目詰まりを回避できる。
【００３８】
ヘッド・ブロック２０４とコンプライアンス２０３とは一体の部材として形成されても良い。しかしながら、ヘッド・ブロック２０４とコンプライアンス２０３とを別々の部材とすることにより、ヘッド・ブロック２０４を交換することによって、様々な形状のブリーザー・フィルタ１０４に適用することが可能となるため、ヘッド・ブロック２０４とコンプライアンス２０３とは異なる２つの部材とすることが好ましい。
【００３９】
次に、治具２００の機能について説明する。上述した通り、コンプライアンス２０３は、シャフト２０２に対して傾動可能に連結されている。図５は、コンプライアンス２０３がシャフト２０２に対して傾いた状態を示す断面図である。図４に示すように、軸Ｏと対向面２０４ａに垂直な方向Ｐとが平行な状態を基準状態とし、図５に示すような、軸ＯとＰとのなす角度Ｑが約２°の状態までコンプライアンス２０３が傾動可能である。
【００４０】
図５に示すように、コンプライアンス２０３のシャフト２０２に対する傾動は、挿入穴２０３ａとシャフト２０２とが当接することにより制限される。従って、傾動角度Ｑは、挿入穴２０３ａの大きさを調整することにより調整可能であり、特に２°に限定されず、それ以上でもそれ以下でも良い。また、挿入穴２０３ａとシャフト２０２との当接以外にも、例えば、摺動部２０３ｂの形状によってコンプライアンス２０３のシャフト２０２に対する傾き角度を制限することも可能である。
【００４１】
次に、治具２００を用いたブリーザー・フィルタの取り付け工程について説明する。図６（ａ）、図６（ｂ）は、本実施形態に係るブリーザー・フィルタの取り付け工程を示す断面図である。まず、図６（ａ）に示すように、ブリーザー・フィルタ１０４を凹部１０２ａ内部に配置する。ブリーザー・フィルタ１０４の、密着領域１０４ａには、接着剤が塗布されている。そして、対向面２０４ａをブリーザー・フィルタ１０４に対向させ、ヘッド・ブロック２０４の外形と、ブリーザー・フィルタ１０４の外形とを位置合わせして治具２００を配置する。
【００４２】
次に、シャフト・ガイド２０１を固定した状態で、シャフト２０２に連結されたアクチュエータ３０６を稼働し、ヘッド・ブロック２０４がブリーザー・フィルタ１０４に近付くようにシャフト２０２をシャフト・ガイド２０１に対して相対的に動かす。すると、図６（ｂ）に示すようにヘッド・ブロック２０４がブリーザー・フィルタ１０４の被押圧面１０４ｃに当接する。ヘッド・ブロック２０４とブリーザー・フィルタ１０４とは位置合わせされており、押圧面２０４ｃと被押圧用領域１０４ｂとが当接する。この状態で、更にシャフト２０２に連結されたアクチュエータ３０６を稼働し、ヘッド・ブロック２０４をブリーザー・フィルタ１０４に押し付ける。
【００４３】
ヘッド・ブロック２０４がブリーザー・フィルタ１０４を押圧する力が５０ｋｇ程度となるようにアクチュエータ３０６を稼働する。ブリーザー・フィルタ１０４とベース１０２との接着面が対向面２０４ａに対して傾いている場合でも、図７に示すようにコンプライアンス２０３がシャフト２０２に対して傾動してその傾きに対応する。これにより、ブリーザー・フィルタ１０４の被押圧用領域１０４ｂ全体を均一に押圧することができ、ブリーザー・フィルタ１０４をベース１０２に確実に固着することができる。この様にブリーザー・フィルタ１０４をベース１０２に固着し、磁気ディスク１０１、スピンドル・モータ１０３、アクチュエータ１０６、ＶＣＭ１０９等をベース１０２に組み込むことによってＨＤＤが完成する。
【００４４】
本実施形態においては、シャフト２０２をアクチュエータ３０６によって動かすことにより、シャフト２０２をその中心軸Ｏに並行に動かすこと及び５０ｋｇという強い力でブリーザー・フィルタを押圧することを容易にしている。そして、被押圧面１０４ｃがシャフト２０２の中心軸Ｏに対して垂直な状態から傾いていた場合でも、コンプライアンス２０３がシャフト２０２に対して傾動することによってその傾きに対応し、ブリーザー・フィルタ１０４とベース１０２とが接着される領域全体を略均一に押圧することができる。
【００４５】
本実施形態に係る治具２００の被押圧面１０４ｃに対する追従性を検証するため、図８に示すような状態で実験を行った。図８は、本実施形態に係る治具２００の追従性検証のための実験方法をしめす側面図である。図８に示すように、ワーク４０１の上に感圧紙４０２を配置する。ワーク４０１を載置する載置面４００とワーク４０１との間にはシム４０３を挟み、ワーク４０１が載置面４００に対して傾くようにする。対向面２０４ａが感圧紙４０２に対向するように、対向面２０４ａと感圧紙４０２とを位置合わせし、シャフト２０２の中心軸Ｏと載置面４００とが垂直となるように治具２００を配置する。ワーク４０１の感圧紙４０２を配置した面に垂直な方向Ｒとシャフト２０２の中心軸Ｏとの成す角度をＳとする。
【００４６】
この状態で、角度Ｓを変えながら治具２００を用いて感圧紙４０２を押圧し、感圧紙の変色状態を確認する。更に、コンプライアンス２０３のような傾動機能のない治具を用いて感圧紙４０２を押圧し、感圧紙の変色状態について、治具２００を用いた場合との違いについて検証する。図９に、傾動機能のある治具２００を用いた場合と、傾動機能のない治具を用いた場合との感圧紙の変色状態を、角度Ｓ毎に示す。
【００４７】
図９に示すように、傾動機能ありの治具２００を用いて感圧紙を押圧した場合は、０．２°から０．４°、更には２．３４°まで、変色に偏りが表れず、ワーク４０１の傾きに追従できていることがわかる。これに対し、傾動機能なしの治具を用いて感圧紙を押圧した場合は、０．２°の時点で既に変色に偏りが表れ、０．４°の状態では変色の偏りが更に顕著になっていることがわかる。尚、傾動機能なしの治具においては、０．４°の時点で変色状態の偏りが顕著に現れたので、それ以上の検証は行わなかった。
【００４８】
上記の説明においては、図２（ｂ）に示すように、ブリーザー・フィルタ１０４の形状を１５ｍｍ四方の四角形として説明したが、寸法や形状は特に限定されない。これ以上若しくはこれ以下の寸法を有する正方形であっても良いし、長方形や他の多角形であっても良い。また、円形及び楕円形であっても良い。ブリーザー・フィルタ１０４がどのような形状であっても、ヘッド・ブロック２０４をブリーザー・フィルタ１０４の形状に対応させることにより、上記と同様の効果を得ることができる。
【００４９】
また、上記の説明においては、ベース１０２との接着面におけるブリーザー・フィルタ１０４の外周の幅２ｍｍの範囲を密着領域１０４ａ及び被押圧用領域１０４ｂとしたが、位置及び幅はこれに限定されない。例えば、密着領域１０４ａの幅が２ｍｍより小さくてもそれ以上であっても良い。また、密着領域１０４ａが呼吸穴１０２ｂを囲むように形成されていれば、ブリーザー・フィルタ１０４のベース１０２との接着面において外周よりも内側に形成されていても良い。更に、密着領域と１０４ａと被押圧用領域１０４ｂとが完全に一致する必要はなく、被押圧用領域１０４ｂを押圧することにより、密着領域１０４ａがベース１０２に固着されれば良い。
【００５０】
同様に、上記の説明においては、押圧面２０４ｃと被押圧用領域１０４ｂとは、相似形状であるとした。しかしながら、密着領域１０４ａがベース１０２に押し付けられるように被押圧用領域１０４ｂを押圧できれば、押圧面２０４ｃの形状は特に限られない。例えば、対向面２０４ａ上に、ブリーザー・フィルタ１０４の呼吸領域１０４ｄと外形を同じくして凹部２０４ｂが形成されており、その周囲に被押圧用領域１０４ｂの外形よりも大きな外形を有する押圧面２０４ｃが形成されていても良い。
【００５１】
また、上記の説明においては、凹部２０４ｂと呼吸領域１０４ｄとが位置合わせされるようにして、ブリーザー・フィルタ１０４を押圧する例を説明した。ここで、ブリーザー・フィルタ１０４は、呼吸穴１０２ｂを介したＨＤＤ１００の筐体内部と外部との通気性を担保しつつ、筐体内部への塵埃の進入を防ぐ。従って、ブリーザー・フィルタ１０４の目詰まりとして問題となるのは、呼吸穴１０２ｂに重なる部分である。従って、凹部２０４ｂと呼吸穴１０４ｂとが位置合わせされていれば良い。この場合においても、凹部２０４ｂと呼吸領域１０４ｄ、若しくは押圧面２０４と被押圧用領域１０４ｂとが位置合わせされている方がより精細に位置合わせされ、好ましい。
【００５２】
上記の説明においては、ヘッド・ブロック２０４がシャフト２０２に対して傾動することによって、被押圧面１０４ｃの傾きに対する治具２００の押圧面（対向面２０４ａ）の追従を実現した。図４（ｂ）に示すシャフト２０２及びコンプライアンス２０３の機構は一例であり、ヘッド・ブロック２０４のシャフト２０２に対する傾動は、この例以外でも実現可能である。例えば、コンプライアンス２０３内部に挿入されたシャフト２０２の端部には球面部２０２ａが形成されておらず平面であり、この平面に当接する摺動部２０３ｂ側に球面が形成されていても良い。また、シャフト２０２とコンプライアンス２０３との双方に球面が形成されていても良い。
【００５３】
また、図４（ｂ）示すような球面の構造以外にも、押圧面２０４ｃの被押圧面への追従を実現する機構であれば基本的に上記と同様の効果を得ることができる。例えば、球面部２０２ａは完全な球面である必要は無い。少なくとも球面部２０２ａに相当するシャフト２０２の端部に、断面が楕円形の一部となる様な曲面等、凸状の曲面が形成されていれば良い。この場合においても、球面部２０２ａの曲率が略一定であれば、摺動部２０３ｂが球面部２０２ａ上を、その当接位置によらず略一様に移動するため、球面部２０２ａに相当する部位は、球面に近い形状であることが好ましい。
【００５４】
その他、例えば、コンプライアンス２０３がシャフト２０２との連結部分において軸Ｏに垂直な軸を中心として回動可能であり、シャフト２０２が軸Ｏを中心として回転可能であれば、上記の説明に近い動作を行わせることができる。この場合、押圧面を被押圧面の傾きに追従させる際、コンプライアンス２０３のシャフト２０２に対する回動と、シャフト２０２の軸Ｏを中心した回転との２つの動作が必要となる。球面を用いる機構の場合は、押圧面が被押圧面に対応して傾動するのみであり、押圧面を被押圧面に追従させることが容易であるため、球面上を摺動する機構によって追従させることが好ましい。この他、流体や弾性体を用いた機構によって押圧面を被押圧面の傾きに追従させることも可能である。
【００５５】
上記の説明においては、図２（ａ）に示すように、ベース１０２のスピンドル・モータ１０３、磁気ディスク１０１が配置される側、即ちＨＤＤ１００の筐体内部に凹部１０２ａが形成され、ブリーザー・フィルタ１０４が取り付けられる例を説明したが、ブリーザー・フィルタ１０４を取り付ける位置は特に限定されず、ベース１０２に被せられるカバー側でも、ＨＤＤ１００の筐体外部でも良い。しかしながら、ブリーザー・フィルタ１０４をＨＤＤ１００の筐体内部に取り付けることにより、接着部分への外力の影響を低減し、ブリーザー・フィルタ１０４の剥離等を回避することができるため、ブリーザー・フィルタ１０４はＨＤＤ１００の筐体内部に取り付けることが好ましい。
【００５６】
また、上記の説明においては、ブリーザー・フィルタ１０４は接着剤によってベース１０２に固着される例を説明した。しかしながら、接着剤を用いることなく、熱圧着等の方法を用いて、ブリーザー・フィルタをＨＤＤ１００の筐体に押圧することによって固着する場合においても、本実施形態を適用することによって上記と同等の効果を得ることができる。また、治具２００は装置に支持されており、アクチュエータ３０６がシャフト２０２を動かすことによって動作する例を説明したが、作業員が治具２００を支持し、手動で凹部１０２ａに配置されたブリーザー・フィルタ１０４を押圧することもできる。この場合、シャフト・ガイド２０１は特に必要なく、作業員はシャフト２０２からヘッド・ブロック２０４までを治具として把持して作業することができる。
【００５７】
上記の説明においては、摺動部２０３ｂが球面部２０２ａ上を摺動することにより、コンプライアンス２０３がシャフト２０２に対して傾動する例を説明したが、特に摺動である必要はない。例えば、摺動部２０３ｂが球面部２０２ａに沿って回転すれば、コンプライアンス２０３のシャフト２０２に対する傾動を実現することができる。これ以外にも、球面部２０２ａ上における摺動部２０３ｂの接点が変化すれば、コンプライアンス２０３のシャフト２０２に対する傾動を実現することができる。
【００５８】
尚、上記の説明においては、記録ディスク・ドライブとしてHDDを例として説明したが、これ以外でも呼吸穴にブリーザー・フィルタが設けられた筐体を有する記録ディスク・ドライブであれば、本発明を適用することが可能である。例えば、光ディスクや光磁気ディスク等の記録媒体を用いたディスク・ドライブが考えられる。
【図面の簡単な説明】
【００５９】
【図１】本発明の施形態における、ハードディスク・ドライブの構成を示す模式平面図である。
【図２】本発明の実施形態における、ブリーザー・フィルタ及びその近傍を模式的に示す図である。
【図３】本発明の実施形態における、ブリーザー・フィルタ取り付け治具及びベース固定台を示す斜視図である。
【図４】本発明の実施形態における、ブリーザー・フィルタ取り付け治具を模式的に示す側面図及び断面図である。
【図５】本発明の実施形態における、ブリーザー・フィルタ取り付け治具を模式的に示す断面図である。
【図６】本発明の実施形態における、ブリーザー・フィルタ取り付け工程を模式的に示す断面図である。
【図７】本発明の実施形態における、ブリーザー・フィルタ取り付け工程を模式的に示す断面図である。
【図８】本発明の実施形態における、ブリーザー・フィルタ取り付け治具の検証方法を模式的に示す側面図である。
【図９】本発明の実施形態における、ブリーザー・フィルタ取り付け治具の検証結果を示す表である。
【符号の説明】
【００６０】
１００  ＨＤＤ、１０１  磁気ディスク、１０２  ベース、１０２ａ  凹部、
１０２ｂ  呼吸穴、１０３  スピンドル・モータ、１０４  ブリーザー・フィルタ、
１０４ａ  密着領域、１０４ｂ  被押圧用領域、１０４ｃ  被押圧面、
１０５  ヘッド・スライダ、１０６  アクチュエータ、１０７  回動軸、
１０９  ボイス・コイル・モータ、１１０  サスペンション、１１１  アーム、
１１２  コイル・サポート、１１３  フラットコイル、
１１４  上側ステータ・マグネット保持板、１１５  ランプ機構、２００  治具、
２０１  シャフト・ガイド、２０１ａ  空洞、２０２  シャフト、２０２ａ  球面部、
２０３  コンプライアンス、２０３ａ  挿入穴、２０３ｂ  摺動部、
２０４  ヘッド・ブロック、２０４ａ  対向面、２０４ｂ  凹部、２０４ｃ  押圧面、
３００  製造装置、３０１  枠型、３０２  枠型、３０３  枠型、３０４  枠型、
３０５  固定台、３０６  アクチュエータ、３０７  アーム、４００  載置面、
４０１  ワーク、４０２  感圧紙、４０３  シム、
【図１】
2007234096.tif 000003
【図２】
2007234096.tif 000004
【図３】
2007234096.tif 000005
【図４】
2007234096.tif 000006
【図５】
2007234096.tif 000007
【図６】
2007234096.tif 000008
【図７】
2007234096.tif 000009
【図８】
2007234096.tif 000010
【図９】
2007234096.tif 000011